(57)【要約】【課題】  ダイバーシティ効果を利用した良好な通信を行うことのできる無線通信装置を提供することを課題とする。【解決手段】  無線通信装置は、送信部又は受信部と、前記送信部又は前記受信部を内蔵する本体と、前記本体に内蔵され、前記送信部又は前記受信部に接続されるダイバーシティ回路と、前記ダイバーシティ回路に接続され、前記本体から延在する線状の第１アンテナと、前記本体に取り付けられ、前記ダイバーシティ回路に接続される第２アンテナと、前記本体に内蔵され、前記送信部又は前記受信部に接続される音声処理部と、前記音声処理部に接続され、前記第１アンテナの先端部に取り付けられるマイク又はイヤーモニターとを含む。【選択図】図１
2013225730.tif 000002
【特許請求の範囲】
【請求項１】
送信部又は受信部と、
前記送信部又は前記受信部を内蔵する本体と、
前記本体に内蔵され、前記送信部又は前記受信部に接続されるダイバーシティ回路と、
前記ダイバーシティ回路に接続され、前記本体から延在する線状の第１アンテナと、
前記本体に取り付けられ、前記ダイバーシティ回路に接続される第２アンテナと、
前記本体に内蔵され、前記送信部又は前記受信部に接続される音声処理部と、
前記音声処理部に接続され、前記第１アンテナの先端部に取り付けられるマイク又はイヤーモニターと
を含む、無線通信装置。
【請求項２】
前記第２アンテナは、前記本体が人体の腰部に配置されることにより、人体の腰部に配置されており、前記第１アンテナは、前記第２アンテナよりも人体の高い位置に配置される、請求項１記載の無線通信装置。
【請求項３】
前記第２アンテナは人体の背面側又は側面側の腰部に配設され、前記第１アンテナは、前記本体から人体の胸部又は肩部にかけて配設される、請求項２記載の無線通信装置。
【請求項４】
前記第１アンテナでの通信周波数は、前記第２アンテナでの通信周波数よりも高い、請求項１乃至３のいずれか一項記載の無線通信装置。
【請求項５】
前記第１アンテナでの通信出力は、前記第２アンテナでの通信出力よりも低い、請求項１乃至３のいずれか一項記載の無線通信装置。
【発明の詳細な説明】
【技術分野】
【０００１】
本発明は、無線通信装置に関する。
【背景技術】
【０００２】
従来より、携帯電話端末機や、小型の通信端末機等が年々小型化され、携帯性の高い無線通信装置として広く用いられるようになっている。
【０００３】
一般に携帯電話、ラジオマイク、イヤーモニター等の小型の無線通信装置においては、２つ以上のアンテナを用いてフェージング等の影響を軽減するためにダイバーシティ方式が採用されており、送信及び受信に用いられている（例えば、特許文献１、２、３参照）。
【先行技術文献】
【特許文献】
【０００４】
【特許文献１】特表２０１０−５０４７１０号公報
【特許文献２】特開２００１‐２０８６１５号公報
【特許文献３】特開平０２‐０６５４２０号公報
【発明の概要】
【発明が解決しようとする課題】
【０００５】
しかしながら、上述したようなダイバーシティ方式のアンテナでは、下記のような問題がある。
【０００６】
（イ）例えば、特許文献１の図４に記載された装置を人間が装着する場合は、装置を比較的小型にすることになるので、ＵＨＦ帯等のように波長が４０ｃｍ〜６０ｃｍ程度と比較的長い場合は、アンテナ同士の間の距離が波長よりも短くなり、十分なダイバーシティ効果を得難い。同様に、特許文献３の図１に記載された装置のように、ケースに２本のアンテナを取り付ける場合に、ＵＨＦ帯等のように波長が４０ｃｍ〜６０ｃｍ程度と比較的長い場合は、アンテナ同士の間の距離が波長よりも短くなり、十分なダイバーシティ効果を得難い。
【０００７】
（ロ）人体近傍に小形の無線通信装置を設置して使用する場合、人体による電波の遮蔽、吸収、反射によってアンテナの放射特性に影響が生じる。例えば、人体の背面側の腰部にアンテナを設置した場合は、電波が人体によって遮蔽され、人体の前方へは飛びにくくなる。特に、周波数が高い場合（例えば１ＧＨｚ以上の場合）は、人体による電波の遮蔽の影響が顕著に大きくなる。そのため、遮蔽される方向にデータを送信することは困難になる。また、電波が遮蔽される方向では、ダイバーシティ効果を得ることはできない。
【０００８】
（ハ）特許文献２の図１に記載された装置のように、ＵＨＦ帯の信号と光信号とによるダイバーシティ方式では、ＵＨＦ帯の信号よりも光信号の方が遠方に伝搬し難いことと、人体の遮蔽を受けやすいことから、人体の近傍で無線通信装置を用いる場合はダイバーシティ効果を得ることが難しい。
【０００９】
以上のように、従来の装置では、ダイバーシティ効果を利用した良好な通信を行うことが困難であった。
【００１０】
そこで、本発明は、ダイバーシティ効果を利用した良好な通信を行うことのできる無線通信装置を提供することを目的とする。
【課題を解決するための手段】
【００１１】
本発明の一局面の無線通信装置は、送信部又は受信部と、前記送信部又は前記受信部を内蔵する本体と、前記本体に内蔵され、前記送信部又は前記受信部に接続されるダイバーシティ回路と、前記ダイバーシティ回路に接続され、前記本体から延在する線状の第１アンテナと、前記本体に取り付けられ、前記ダイバーシティ回路に接続される第２アンテナと、前記本体に内蔵され、前記送信部又は前記受信部に接続される音声処理部と、前記音声処理部に接続され、前記第１アンテナの先端部に取り付けられるマイク又はイヤーモニターとを含む。
【発明の効果】
【００１２】
本発明によれば、ダイバーシティ効果を利用した良好な通信を行うことのできる無線通信装置を提供できるという特有の効果が得られる。
【図面の簡単な説明】
【００１３】
【図１】実施の形態１の無線通信装置の構成を概略的に示す図である。
【図２】人間が実施の形態１の無線通信装置１００を利用する状態を示す図である。
【図３】実施の形態１の無線通信装置１００のアンテナ２０及び４０の放射パターンを示す図である。
【図４】アンテナ４０のみで得られる放射パターンを示す図である。
【図５】実施の形態２の無線通信装置のアンテナ２０及び４０の放射パターンを示す図である。
【図６】実施の形態３の無線通信装置３００の構成を概略的に示す図である。
【発明を実施するための形態】
【００１４】
以下、本発明の無線通信装置を適用した実施の形態について説明する。
【００１５】
＜実施の形態１＞
図１は、実施の形態１の無線通信装置の構成を概略的に示す図である。
【００１６】
実施の形態１の無線通信装置１００は、本体１０、アンテナ２０、マイク３０、及びアンテナ４０を含む。無線通信装置１００は、所謂ラジオマイク型の無線通信装置であり、アンテナ２０及び４０とマイク３０を人体の所定の部位に配置し、マイク３０に入力される音声をダイバーシティ方式で、図示しない受信装置に送信する。
【００１７】
ここで、無線通信装置１００では、アンテナ２０の通信周波数は１．２ＧＨｚであり、アンテナ４０の通信周波数は８００ＭＨｚである。
【００１８】
本体１０は、送信部１１、ダイバーシティ回路１２、周波数変換回路１３、整合回路１４、周波数変換回路１５、及び音声処理回路１６を有する。また、本体１０のダイバーシティ回路１２には、整合回路２１を介してアンテナ２０が接続され、整合回路１４にはアンテナ４０が接続され、音声処理回路１６にはマイク３０が接続されている。本体１０は、例えば、人体の背面側の腰部において、フック等によって衣服に取り付けられる。
【００１９】
送信部１１は、入力端子が音声処理回路１６に接続され、出力端子がダイバーシティ回路１２に接続される。送信部１１は、マイク３０に入力され、音声処理回路１６で処理された信号を送信する回路である。送信部１１は、音声処理回路１６で処理された信号をダイバーシティ回路１２に入力する。
【００２０】
ダイバーシティ回路１２は、送信部１１から入力される信号を周波数変換回路１３、１５に出力する。無線通信装置１００がアンテナ２０で送信を行うときは、ダイバーシティ回路１２は信号を周波数変換回路１５に出力し、無線通信装置１００がアンテナ４０で送信を行うときは、ダイバーシティ回路１２は信号を周波数変換回路１３に出力する。
【００２１】
周波数変換回路１３は、ダイバーシティ回路１２から入力される信号を８００ＭＨｚの搬送波に重畳して整合回路１４に出力する。すなわち、ダイバーシティ回路１２から出力される信号は、周波数変換回路１３で変調されて整合回路１４に入力される。
【００２２】
整合回路１４は、アンテナ４０のインピーダンスを調整するための回路であり、例えば、インダクタ（Ｌ）又はキャパシタ（Ｃ）を有する。アンテナ４０は、整合回路１４によって周波数変換回路１３とインピーダンス整合が取られる。
【００２３】
周波数変換回路１５は、ダイバーシティ回路１２から入力される信号を１．２ＧＨｚの搬送波に重畳して整合回路２１に出力する。すなわち、ダイバーシティ回路１２から出力される信号は、周波数変換回路１５で変調されて整合回路２１に入力される。
【００２４】
音声処理回路１６は、マイク３０から入力される音声信号の変調等の処理を行い、送信部１１に入力する。
【００２５】
アンテナ２０は、通信周波数が１．２ＧＨｚのモノポールアンテナであり、その長さは、１．２ＧＨｚにおける波長λの約１／４（λ／４）に設定されている。アンテナ２０は、例えば、銅線によって構成される。なお、アンテナ２０は、銅以外の金属製であってもよい。
【００２６】
アンテナ２０は、給電線路２０Ａ、整合回路２１、給電線路２２、及び周波数変換回路１５を介して、本体１０のダイバーシティ回路１２の一方の出力端子に接続されており、第１アンテナの一例である。アンテナ２０は、ダイバーシティ回路１２から周波数変換回路１５、給電線路２２、整合回路２１、及び給電線路２０Ａを介して入力される信号を放射する。
【００２７】
また、アンテナ２０の先端部には、マイク３０が配設される。図１ではアンテナ２０とマイク３０を離して示すが、実際にはマイク３０は、アンテナ２０の先端部でアンテナ２０に固定されている。なお、アンテナ２０とマイク３０は絶縁されており、マイク３０がアンテナ２０の放射特性に影響を与えないように構成されている。
【００２８】
例えば、アンテナ２０の給電線路２０Ａ、整合回路２１、及び給電線路２２と、マイク３０の配線３０Ａとは、樹脂で被覆されてケーブル状にして固定されている。
【００２９】
整合回路２１は、アンテナ２０のインピーダンスを調整するための回路であり、例えば、インダクタ（Ｌ）又はキャパシタ（Ｃ）を有する。アンテナ２０は、整合回路２１によって周波数変換回路１５とインピーダンス整合が取られる。
【００３０】
マイク３０は、所謂ピンマイクである。マイク３０は、例えば、ピンによって衣服の胸部に取り付けられることにより、人体の胸部に配置される。マイク３０は、配線３０Ａを介して本体１０の音声処理回路１６に接続されている。マイク３０を胸部に取り付けた人間が発する音声は、マイク３０によって拾われて電気信号に変換され、配線３０Ａを通じて音声処理回路１６に入力される。
【００３１】
アンテナ４０は、通信周波数が８００ＭＨｚのモノポールアンテナであり、その長さは、８００ＭＨｚにおける波長λの約１／４（λ／４）に設定されている。アンテナ４０は、例えば、銅線によって構成される。なお、アンテナ４０は、銅以外の金属製であってもよい。
【００３２】
アンテナ４０は、本体１０から突き出している棒状のホイップアンテナであり、第２アンテナの一例である。なお、アンテナ４０は、本体１０の筐体に内蔵されていてもよい。
【００３３】
アンテナ４０は、整合回路１４を介して、本体１０のダイバーシティ回路１２の他方の出力端子に接続されている。アンテナ４０は、ダイバーシティ回路１２から整合回路１４を介して入力される信号を放射する。
【００３４】
次に、図２を用いて、実施の形態１の無線通信装置１００の利用の仕方について説明する。
【００３５】
図２は、人間が実施の形態１の無線通信装置１００を利用する状態を示す図である。
【００３６】
無線通信装置１００の本体１０は、人体の背面側の腰部に配置される。例えば、本体１０は、クリップ等を腰のベルト等に引っかけることにより、衣服に固定される。このようにして、本体１０は人体の背面側の腰部に配置され、これによりアンテナ４０は、人体の背面側の腰部に配置される。
【００３７】
アンテナ２０、給電線路２０Ａ、整合回路２１、給電線路２２、及び配線３０Ａは、人体の背面側の腰部に配置される本体１０から引き延ばされ、人体の左脇を取り回されており、アンテナ２０及び配線３０Ａの先端部にあるマイク３０は、人体の胸部の左肩に近い位置に配置される。図２では、マイク３０は、衣服の左襟にクリップ等で固定されている。このため、アンテナ２０及び配線３０Ａは、人体の左胸から背面側の腰部にわたって延在している。
【００３８】
ここで、人体は誘電体であり、一般に、身長は成人で約１．４ｍから約１．８ｍ程度である。例えば、ＵＨＦ帯の中でも周波数が約１ＧＨｚから約５００ＭＨｚの帯域は、波長が約３０ｃｍ〜約６０ｃｍであるため、この帯域の信号は人体による遮蔽等の影響をうけやすい。これは、人体の寸法が波長の整数倍の関係になりやすいからである。
【００３９】
また、人体は、一般に、腰部等の身長方向における中央部が最も幅広く、肩より上の首及び頭部は、肩より下の部位に比べて幅が細いため、上述の帯域の信号に与える影響は軽微であることが分かっている。
【００４０】
また、周波数が高くなると自由空間損失が大きくなるため、一般に、周波数の高い信号は、周波数の低い信号よりも放射し難い傾向がある。
【００４１】
また、地面はグランド電位に保持されているため、地面から高い場所の方がグランド電位の影響が少なく、信号は放射しやすい。
【００４２】
以上のような理由から、実施の形態１の無線通信装置１００は、アンテナ２０をアンテナ４０よりも高い部位に配置し、また、アンテナ２０の出力をアンテナ４０の出力の半分に設定している。また、アンテナ２０の通信周波数（１．２ＧＨｚ）をアンテナ４０の通信周波数（８００ＭＨｚ）よりも高くしている。
【００４３】
すなわち、無線通信装置１００は、利用者が本体１０をクリップ等でウェストのベルト等に引っかけるとともに、マイク３０をクリップ等で衣服の左胸等に固定することによって装着される。
【００４４】
これにより、本体１０に取り付けられるホイップ型のアンテナ４０よりも、マイク３０の直下にあるアンテナ２０の方が高い位置に配置されることになる。また、アンテナ４０は人体の背面側にあり、アンテナ２０は人体の正面側に位置することになる。
【００４５】
図３は、実施の形態１の無線通信装置１００のアンテナ２０及び４０の放射パターンを示す図である。図３（Ａ）は水平面内での放射パターンを示し、図３（Ｂ）は垂直面内での放射パターンを示す。
【００４６】
なお、図３（Ａ）に示す水平面内の放射パターンは、人体を上方から見た場合の放射パターンであり、９０度の方向が人体の正面側を示し、２７０度の方向が人体の背面側を示す。
【００４７】
また、図３（Ｂ）に示す垂直面内の放射パターンは、人体を左側部から見た場合の放射パターンであり、９０度の方向が水平方向における正面方向を示し、０度の方向が鉛直上方を示し、２７０度の方向が人体の水平方向における背面方向を示す。
【００４８】
また、図３（Ａ）、（Ｂ）において、三角（▲）のプロットはアンテナ２０（１．２ＧＨｚ）の放射パターンを示し、黒丸（●）のプロットはアンテナ４０（８００ＭＨｚ）の放射パターンを示す。
【００４９】
また、図３（Ａ）、（Ｂ）における放射パターンの振幅値は、人体が存在しないときのアンテナ利得（アンテナ２０、４０単体のアンテナ利得）を０ｄＢとして規格化した値である。
【００５０】
図３（Ａ）に示すように、アンテナ２０の水平面内の放射パターンは、正面側の約３０度から約１５０度の範囲で約０ｄＢ前後の値が得られており、背面側の２１０度や３３０度においても約−１０ｄＢが得られている。
【００５１】
また、アンテナ４０の水平面内の放射パターンは、背面側の約２１０から約３３０度の範囲で約３〜４ｄＢ程度の値が得られている。アンテナ４０の放射パターンの正面側での減衰は、アンテナ２０の背面側での減衰よりも多少大きく約−１６ｄＢ程度であり、正面側の約３０度や約１５０度で約−１２ｄＢ程度の値となった。
【００５２】
また、図３（Ｂ）に示すように、アンテナ２０の垂直面内の放射パターンは、約５０度から約９０度まで約０ｄＢ前後の値が得られた。また、アンテナ４０の垂直面内の放射パターンは、約２３０度から約３２０度において約０ｄＢから約４ｄＢ程度の値が得られた。
【００５３】
以上より、アンテナ２０は、アンテナ４０の半分の出力でも、人体が存在しないときと同様の振幅値が得られた。また、図３（Ａ）に示す水平面内の放射パターンから分かるように、アンテナ２０は、アンテナ４０の半分の出力であるのに、背面側での振幅値の減衰の度合は、アンテナ４０の正面側での振幅値の減衰よりも軽微であった。
【００５４】
これは、アンテナ２０は、人体の左胸の高い位置（左肩に近い位置）に配置されており、すなわち、アンテナ４０が配置される腰部よりも人体の幅の細い首や頭部に近い位置に配置されているため、アンテナ４０よりも人体の反対側への放射が得られたためと考えられる。
【００５５】
アンテナ２０が配置される部位は、アンテナ４０が配置される腰部よりも人体の幅の細い首や頭部に近いため、アンテナ４０が配置される部位よりも人体による遮蔽の影響を受けにくい部位である。
【００５６】
アンテナ２０の出力は、アンテナ４０の出力の半分であるが、アンテナ２０から放射される電波は、人体の幅の細い首や頭部の脇や、頭部の上方を抜けて人体の上部を超えることができるため、良好な放射特性が得られたものと考えられる。
【００５７】
ここで、比較用に、アンテナ４０のみで得られる放射特性について説明する。
【００５８】
図４は、アンテナ４０のみで得られる放射パターンを示す図である。図４（Ａ）はアンテナ４０の水平面内での放射パターンを示し、図４（Ｂ）はアンテナ４０の垂直面内での放射パターンを示す。
【００５９】
図４（Ａ）、（Ｂ）に示すように、アンテナ４０のみで得られる水平面内及び垂直面内の放射パターンは、それぞれ、図３（Ａ）、（Ｂ）に示す放射パターンにおけるアンテナ４０の放射パターンと同様である。
【００６０】
以上より、実施の形態１によれば、線状のアンテナ２０を人体の首や頭部に近い部位であって、本体１０に取り付けられるアンテナ４０よりも高い部位に配置することにより、アンテナ２０の高い放射特性を得ることができる。
【００６１】
アンテナ４０は人体の背面側の腰部に配置され、腰部は人体の中でも最も幅の広い部位であるため、人体による遮蔽の影響を受け、正面側への放射は殆ど得られない。
【００６２】
一方、アンテナ２０は胸部に配置され、胸部は人体の中でも比較的幅の細い首や頭部に近い。このため、アンテナ２０から放射される信号は、アンテナ４０から放射される信号に比べると人体による遮蔽の影響が小さく、首や頭部の脇及び頭部の上方を通って背面側にも放射すると考えられる。すなわち、アンテナ２０は、アンテナ４０よりも人体の遮蔽の影響を受けにくい部位に配置されている。
【００６３】
また、アンテナ２０は、アンテナ４０よりも高い位置に配置されるため、地面のグランド電位による影響を受けにくく、高い放射特性が得られると考えられる。
【００６４】
このため、実施の形態１の無線通信装置１００では、アンテナ２０の出力をアンテナ４０の出力の半分に設定している。このように出力を設定しても、図３（Ａ）、（Ｂ）に示すように、アンテナ２０の放射パターンの振幅値は、アンテナ４０の放射パターンの振幅値と略同じレベルの値が得られている。これは、アンテナ２０の方がアンテナ４０よりも放射特性が良好であるため、出力を半分にしてアンテナ４０とのバランスを取ったものである。
【００６５】
アンテナ２０から放射される電波は、首や頭部等の人体の中でも比較的幅の細い部位の脇及び頭部の上方を通って背面側に抜ける割合が多いと考えられるため、このように出力を落とすことにより、消費電力の低減を図ることができる。
【００６６】
また、アンテナ２０は、アンテナ４０よりも人体の遮蔽の影響を受けにくい部位に配置されているため、より高い周波数での通信が可能になる。このため、実施の形態１の無線通信装置１００では、アンテナ２０の通信周波数を１．２ＧＨｚにし、アンテナ４０の通信周波数を８００ＭＨｚにしている。
【００６７】
以上のように、実施の形態１の無線通信装置１００は、人体の遮蔽の影響を受けにくい首や頭部の近傍に片方のアンテナ２０を配置し、もう一方のアンテナ４０を人体の背面側の腰部に配置される本体１０に配置している。
【００６８】
このため、実施の形態１によれば、十分なダイバーシティ効果が得られ、良好な通信を行うことのできる無線通信装置１００を提供することができる。
【００６９】
利用者が図２に示すように無線通信装置１００を装着すると、利用者の前方（正面側）及び後方（背面側）に良好な放射パターンが得られるため、図示しない受信装置に対してどちらの方向を向いても、マイク３０に入力される音声を受信装置で確実に受信することができる。これは例えば、大きなコンサートホールのステージに立つ司会者が、受信装置に対してどちらの方向を向いても、マイク３０に入力される音声を無線通信装置１００の十分なダイバーシティ効果で確実に受信装置に送信できることを意味する。
【００７０】
ここで、例えば、アンテナ２０を備えずにアンテナ４０のみを備え、図４に示す放射パターンを有する無線通信装置では、アンテナ４０を背面側の腰部に取り付けた利用者が受信装置に対して背を向けているときには音声を受信できるが、受信装置の方を向いているときは音声を受信することができない。これは、背景技術として紹介した、ダイバーシティ効果の不十分な従来の無線通信装置においても同様である。
【００７１】
これに対して、実施の形態１の無線通信装置１００によれば、図３（Ａ）、（Ｂ）に示すように、十分なダイバーシティ効果により、人体の前方及び後方のいずれにも電波を放射することができるので、図示しない受信装置に対してどちらの方向を向いても、マイク３０に入力される音声を受信装置で確実に受信することができる。
【００７２】
また、従来のダイバーシティ方式の無線通信装置は、２つのアンテナの間に十分な距離がないため、十分なダイバーシティ効果は得られない。
【００７３】
これに対して、実施の形態１の無線通信装置１００は、人体の胸部に配置されるアンテナ２０と、人体の背面側の腰部に配置されるアンテナ４０とは、十分に離れて配置されているため、アンテナ２０とアンテナ４０との相関は十分に低くなり、十分なダイバーシティ効果を得ることができる。
【００７４】
また、従来の装置において、使用する周波数帯がＵＨＦ帯等のように波長が比較的長い場合に、十分なダイバーシティ効果を得るためにアンテナ同士の間の距離を長く取ると、無線通信装置が大型化するという問題が生じる。
【００７５】
これに対して、実施の形態１の無線通信装置１００は、大型化を図ることなく、十分なダイバーシティ効果を得ることができる。
【００７６】
また、従来の装置において、人体の影響を回避するために、送信出力を上げると、例えばＵＨＦ帯では１０ｄＢ以上、ｌＧＨｚ帯では２０ｄＢ以上出力を増大する必要があるため、電力消費が大きくなるという問題がある。
【００７７】
これに対して、実施の形態１の無線通信装置１００は、線状のアンテナ２０の出力を低減でき、低消費電力化を図ることができる。
【００７８】
以上、実施の形態１によれば、線状のアンテナ２０を人体の胸部に配置することにより、良好な放射特性、低消費電力化、及び十分なダイバーシティ効果が得られる無線通信装置１００を提供することができる。
【００７９】
なお、以上では、アンテナ２０を人体の左胸に配置する形態について説明したが、アンテナ２０は、人体の正面側又は側面側において、アンテナ４０よりも高い位置に配置されるのであれば、左胸以外の場所に配置されてもよい。例えば、アンテナ２０は肩に配置されてもよく、上腕に配置されてもよい。
【００８０】
また、以上では、無線通信装置１００がラジオマイクである形態について説明したが、無線通信装置１００はラジオマイクには限られず、例えば、本体１０が携帯電話端末機で、アンテナ２０がハンズフリー用のヘッドセットに取り付けられてもよい。
【００８１】
また、以上では、アンテナ２０の通信周波数（１．２ＧＨｚ）をアンテナ４０の通信周波数（８００ＭＨｚ）よりも高くする形態について説明したが、アンテナ２０及び４０の通信周波数は等しくてもよい。これについては、実施の形態２で説明する。
【００８２】
＜実施の形態２＞
図５は、実施の形態２の無線通信装置のアンテナ２０及び４０の放射パターンを示す図である。図５（Ａ）は水平面内での放射パターンを示し、図５（Ｂ）は垂直面内での放射パターンを示す。
【００８３】
実施の形態２の無線通信装置は、周波数変換部１５が８００ＭＨｚの搬送波に、ダイバーシティ回路１２から入力される信号を重畳する点が実施の形態１の無線通信装置１００と異なる。その他の構成は実施の形態１の無線通信装置１００と同様であるため、以下では同様の回路構成を有するものとして説明する。
【００８４】
図５（Ａ）、（Ｂ）において、三角（▲）のプロットはアンテナ２０（８００ＭＨｚ）の放射パターンを示し、黒丸（●）のプロットはアンテナ４０（８００ＭＨｚ）の放射パターンを示す。
【００８５】
また、図５（Ａ）、（Ｂ）における放射パターンの振幅値は、人体が存在しないときのアンテナ利得（アンテナ２０、４０単体のアンテナ利得）を０ｄＢとして規格化した値である。
【００８６】
図５（Ａ）に示すように、アンテナ２０の水平面内の放射パターンは、正面側の約５０度から約１３０度の範囲で約０ｄＢ前後の値が得られており、６０度から１２０度の間では、約１ｄＢ程度の高い振幅値が得られている。また、背面側の２１０度や３３０度においても約−１０ｄＢが得られている。
【００８７】
また、アンテナ４０の水平面内の放射パターンは、背面側の約２００から約３４０度の範囲で約３〜４ｄＢ程度の値が得られている。アンテナ４０の放射パターンの正面側での減衰は、アンテナ２０の背面側での減衰よりも多少大きく約−１６ｄＢ程度であり、正面側の約３０度や約１５０度で約−１２ｄＢ程度の値となった。
【００８８】
また、図５（Ｂ）に示すように、アンテナ２０の垂直面内の放射パターンは、約５０度から約１１０度まで約０ｄＢ前後の値が得られた。また、アンテナ４０の垂直面内の放射パターンは、約２３０度から約３１０度において約０ｄＢから約４ｄＢ程度の値が得られた。
【００８９】
以上より、アンテナ２０は、アンテナ４０の半分の出力でも、人体が存在しないときと同様の振幅値が得られた。また、図５（Ａ）に示す水平面内の放射パターンから分かるように、アンテナ２０は、アンテナ４０の半分の出力であるのに、背面側での振幅値の減衰の度合は、アンテナ４０の正面側での振幅値の減衰よりも軽微であった。
【００９０】
これは、アンテナ２０は、人体の左胸の高い位置（左肩に近い位置）に配置されており、すなわち、アンテナ４０が配置される腰部よりも人体の幅の細い首や頭部に近い位置に配置されているため、アンテナ４０よりも人体の反対側への放射が得られたためと考えられる。
【００９１】
アンテナ２０が配置される部位は、アンテナ４０が配置される腰部よりも人体の幅の細い首や頭部に近いため、アンテナ４０が配置される部位よりも人体による遮蔽の影響を受けにくい部位である。
【００９２】
アンテナ２０の出力は、アンテナ４０の出力の半分であるが、アンテナ２０から放射される電波は、人体の幅の細い首や頭部の脇や、頭部の上方を抜けて人体の上部を超えることができるため、良好な放射特性が得られたものと考えられる。
【００９３】
以上より、実施の形態２によれば、アンテナ２０及び４０の通信周波数が等しい場合においても、実施の形態１と同様に、線状のアンテナ２０を人体の胸部に配置することにより、良好な放射特性、低消費電力化、及び十分なダイバーシティ効果が得られる無線通信装置を提供することができる。
【００９４】
＜実施の形態３＞
図６は、実施の形態３の無線通信装置３００の構成を概略的に示す図である。
【００９５】
実施の形態３の無線通信装置３００は、本体３１０、アンテナ２０、イヤーモニター３３０、及びアンテナ４０を含む。
【００９６】
無線通信装置３００は、図示しない送信装置から送信される音声信号を受信する無線通信装置であり、アンテナ２０及び４０とイヤーモニター３３０を人体の所定の部位に配置し、ダイバーシティ方式でアンテナ２０又は４０で受信した音声信号をイヤーモニター３３０から出力する。
【００９７】
実施の形態３の無線通信装置３００は、実施の形態１の無線通信装置１００のマイク３０をイヤーモニター３３０に入れ替え、受信した音声信号をイヤーモニター３３０から出力するように構成を変更したものである。
【００９８】
以下、実施の形態１の無線通信装置１００と同様の構成要素には同一符号を付し、その説明を省略する。
【００９９】
本体３１０は、受信部３１１、ダイバーシティ回路１２、周波数変換回路３１３、整合回路１４、周波数変換回路３１５、及び音声処理回路１６を有する。音声処理回路１６にはイヤーモニター３３０が接続されている。本体３１０は、例えば、人体の背面側の腰部において、フック等によって衣服に取り付けられる。
【０１００】
受信部３１１は、入力端子がダイバーシティ回路１２に接続され、出力端子が音声処理回路１６に接続される。受信部３１１は、アンテナ２０又は４０で受信され、周波数変換部３１３又は３１５で復調され、ダイバーシティ回路１２から入力される信号を受信する回路である。受信部３１１は、ダイバーシティ回路１２から入力される信号を音声処理回路１６に入力する。
【０１０１】
ダイバーシティ回路１２は、周波数変換回路３１３、３１５から入力される信号を受信部３１１に出力する。無線通信装置３００がアンテナ２０で信号を受信するときは、ダイバーシティ回路１２には信号が周波数変換回路３１５から入力され、無線通信装置３００がアンテナ４０で信号を受信するときは、ダイバーシティ回路１２には信号が周波数変換回路３１３から入力される。
【０１０２】
周波数変換回路３１３は、整合回路１４から入力される信号を復調してダイバーシティ回路１２に入力する。
【０１０３】
周波数変換回路３１５は、整合回路２１から入力される信号を復調してダイバーシティ回路１２に入力する。
【０１０４】
アンテナ２０の先端部には、イヤーモニター３３０が配設される。図６ではアンテナ２０とイヤーモニター３３０を離して示すが、実際にはイヤーモニター３３０は、アンテナ２０の先端部でアンテナ２０に固定されている。
【０１０５】
例えば、アンテナ２０の給電線路２０Ａ、整合回路２１、及び給電線路２２と、イヤーモニター３３０の配線３３０Ａとは、樹脂で被覆されてケーブル状にして固定されている。
【０１０６】
イヤーモニター３３０は、例えば、ピンによって衣服の胸部に取り付けられることにより、人体の胸部に配置される。イヤーモニター３３０は、配線３３０Ａを介して本体３１０の音声処理回路１６に接続されている。送信装置から無線通信装置３００がアンテナ２０又は４０で受信した音声信号は、イヤーモニター３３０から利用者の耳に出力される。
【０１０７】
以上、実施の形態３の無線通信装置３００は、実施の形態１の無線通信装置１００のマイク３０をイヤーモニター３３０に入れ替えた構成を有する。
【０１０８】
このため、実施の形態３によれば、実施の形態１と同様に、線状のアンテナ２０を人体の胸部に配置することにより、良好な放射特性、低消費電力化、及び十分なダイバーシティ効果が得られる無線通信装置３００を提供することができる。
【０１０９】
以上、本発明の例示的な実施の形態の無線通信装置について説明したが、本発明は、具体的に開示された実施の形態に限定されるものではなく、特許請求の範囲から逸脱することなく、種々の変形や変更が可能である。
【符号の説明】
【０１１０】
１００、３００  無線通信装置
１０、３１０  本体
１１  送信部
１２  ダイバーシティ回路
１３、３１３  周波数変換回路
１４  整合回路
１５、３１５  周波数変換回路
２０  アンテナ
３０  マイク
４０  アンテナ
３１１  受信部
３３０  イヤーモニター
【図１】
2013225730.tif 000003
【図２】
2013225730.tif 000004
【図３】
2013225730.tif 000005
【図４】
2013225730.tif 000006
【図５】
2013225730.tif 000007
【図６】
2013225730.tif 000008